(57)【特許請求の範囲】
【請求項１】
周波数帯域共有方法であって、
共有される周波数帯域を決定するステップであって、前記共有される周波数帯域は第1のネットワーク又は第2のネットワークに利用可能な周波数帯域であり、前記共有される周波数帯域のセルは、前記第1のネットワークを用いることによって通信を実行するユーザ装置UE1のセカンダリサービングセル及び前記第2のネットワークを用いることによって通信を実行するユーザ装置UE2のセカンダリサービングセルであり、前記UE1と前記UE2との双方は、前記共有される周波数帯域及び前記共有される周波数帯域以外の少なくとも1つの周波数帯域上で動作可能である、決定するステップと、
前記第1のネットワークと前記第2のネットワークとの双方において送信対象のサービスが存在する場合、前記第1のネットワークのサービス送信又は前記第2のネットワークのサービス送信のどちらが前記共有される周波数帯域上で実行されるか判定し、前記第1のネットワークのサービス送信が前記共有される周波数帯域上で実行されるとき、前記共有される周波数帯域上で前記第2のネットワークの共通信号のみを送信し、前記第2のネットワークのサービス送信が前記共有される周波数帯域上で実行されるとき、前記共有される周波数帯域上で前記第1のネットワークの共通信号のみを送信するステップと、
を有する方法。
【請求項２】
前記共有される周波数帯域上で前記第1のネットワークの共通信号のみを送信するステップは、
前記共有される周波数帯域及び前記共有される周波数帯域に独立に対応する1つのアップリンクキャリアが、前記第1のネットワークを用いることによって通信を実行し、セカンダリサービングセルが前記共有される周波数帯域のセルである何れかのUE1に対して設定されるとき、前記共有される周波数帯域上で前記第1のネットワークの共通信号を送信するステップを含む、請求項１記載の方法。
【請求項３】
前記第1のネットワークはUMTSネットワークであり、前記第2のネットワークはLTEネットワークであり、
前記第1のネットワークのサービス送信が前記共有される周波数帯域上で実行されるとき、前記共有される周波数帯域上で前記第2のネットワークの共通信号のみを送信するステップは、前記共有される周波数帯域上で前記UMTSネットワークのデータ信号を送信し、前記共有される周波数帯域上で前記LTEネットワークのDRS、CRS、SS又はPBCHの1つ以上を送信するステップを含むか、又は、
前記第2のネットワークのサービス送信が前記共有される周波数帯域上で実行されるとき、前記共有される周波数帯域上で前記第1のネットワークの共通信号のみを送信するステップは、前記共有される周波数帯域上で前記LTEネットワークのデータ信号を送信し、前記共有される周波数帯域上で前記UMTSネットワークのSS、CCPCH又はCPICHの1つ以上を送信するステップを含む、請求項１又は２記載の方法。
【請求項４】
前記第1のネットワークのサービス送信が前記共有される周波数帯域上で実行され、前記第2のネットワークのDRSのみが前記共有される周波数帯域上で送信されるとき、当該方法は更に、
前記UE2のCRSベース測定の設定をスキップするステップ、及び/又は、
前記DRSを送信する時間単位において圧縮モードで前記共有される周波数帯域上で前記第1のネットワークのデータ信号を送信するステップであって、前記DRSは長期間DRSである、送信するステップ、及び/又は、
前記データ信号及び/又は前記共通信号が前記DRSを送信する時間単位で前記第1のネットワークにおいて送信される送信電力は他の時間単位における送信電力未満であり、前記共通信号は前記SS、前記CCPCH又は前記CPICHの1つ以上を含み、及び/又は、
前記DRSを送信する時間単位において前記第1のネットワークの前記SS、前記CCPCH又は前記CPICHの1つ以上の送信をスキップするステップ、及び/又は、
前記UE2に対して測定区間を設定し、前記測定区間における前記共有される周波数帯域上の前記DRSの送信をスキップするステップを含む、請求項３記載の方法。
【請求項５】
前記DRSを送信する時間単位において送信されるDRSは、前記CRSを含まない、請求項３又は４記載の方法。
【請求項６】
前記共有される周波数帯域を決定するステップの前に、
前記第1のネットワークを用いることによって通信を実行し、1つのみの共有される周波数帯域上で動作可能な他のユーザ装置を他の周波数帯域にハンドオーバするステップ、及び/又は、
前記第2のネットワークを用いることによって通信を実行し、1つのみの共有される周波数帯域上で動作可能な他のユーザ装置を他の周波数帯域にハンドオーバするステップを更に含む、請求項１乃至５何れか一項記載の方法。
【請求項７】
前記第1のネットワークのサービス送信又は前記第2のネットワークのサービス送信のどちらが前記共有される周波数帯域上で実行されるか判定するステップは、
前記第1のネットワークのトラフィック量及び前記第2のネットワークのトラフィック量に従って、前記第1のネットワークのサービス送信又は前記第2のネットワークのサービス送信が前記共有される周波数帯域上で実行されると判定するステップを含み、
前記第1のネットワークのトラフィック量が第1の閾値を超える、及び/又は前記第2のネットワークのトラフィック量が第2の閾値を超えないとき、前記第1のネットワークのサービス送信が前記共有される周波数帯域上で実行されると判定するステップ、
前記第1のネットワークのトラフィック量が前記第1の閾値を超えない、及び/又は前記第2のネットワークのトラフィック量が前記第2の閾値を超えるとき、前記第2のネットワークのサービス送信が前記共有される周波数帯域上で実行されると判定するステップ、又は、
前記第1のネットワークのトラフィック量が前記第1の閾値を超え、前記第2のネットワークのトラフィック量が前記第2の閾値を超えるとき、前記第2のネットワークのトラフィック量に対する前記第1のネットワークのトラフィック量の比が第3の閾値を超えると判定された場合、前記第1のネットワークのサービス送信が前記共有される周波数帯域上で実行されると判定するか、あるいは、前記第2のネットワークのトラフィック量に対する前記第1のネットワークのトラフィック量の比が前記第3の閾値を超えないと判定された場合、前記第2のネットワークのサービス送信が前記共有される周波数帯域上で実行されると判定するステップを含む、請求項１乃至６何れか一項記載の方法。
【請求項８】
前記第1のネットワークのサービス送信が前記共有される周波数帯域上で実行されるとき、前記共有される周波数帯域上で前記第2のネットワークの共通信号のみを送信するステップは、前記共有される周波数帯域上で動作するよう前記第1のネットワークをアクティブ化し、前記共有される周波数帯域上で動作することから前記第2のネットワークを非アクティブ化するか、又は、前記共有される周波数帯域上でOFF状態になるよう前記第2のネットワークを設定するステップを含み、
前記第2のネットワークのサービス送信が前記共有される周波数帯域上で実行されるとき、前記共有される周波数帯域上で前記第1のネットワークの共通信号のみを送信するステップは、前記共有される周波数帯域上で動作するよう前記第2のネットワークをアクティブ化するか、又は、前記共有される周波数帯域上でON状態になるよう前記第2のネットワークを設定し、及び/又は前記共有される周波数帯域上で動作することから前記第1のネットワークを非アクティブ化するステップを含む、請求項１乃至７何れか一項記載の方法。
【請求項９】
周波数帯域共有装置であって、
共有される周波数帯域を決定するよう構成される決定ユニットであって、前記共有される周波数帯域は第1のネットワーク又は第2のネットワークに利用可能な周波数帯域である、決定ユニットと、
前記第1のネットワークを用いることによって通信を実行するユーザ装置UE1のセカンダリサービングセル及び前記第2のネットワークを用いることによって通信を実行するユーザ装置UE2のセカンダリサービングセルとして前記共有される周波数帯域を設定するよう構成される設定ユニットであって、前記UE1と前記UE2との双方は、前記共有される周波数帯域及び前記共有される周波数帯域以外の少なくとも1つの周波数帯域上で動作可能である、設定ユニットと、
前記第1のネットワークと前記第2のネットワークとの双方において送信対象のサービスが存在する場合、前記第1のネットワークのサービス送信又は前記第2のネットワークのサービス送信のどちらが前記共有される周波数帯域上で実行されるか判定し、前記第1のネットワークのサービス送信が前記共有される周波数帯域上で実行されるとき、前記共有される周波数帯域上で前記第2のネットワークの共通信号のみを送信し、前記第2のネットワークのサービス送信が前記共有される周波数帯域上で実行されるとき、前記共有される周波数帯域上で前記第1のネットワークの共通信号のみを送信するよう構成される処理ユニットと、
を有する装置。
【請求項１０】
前記処理ユニットは、
前記共有される周波数帯域及び前記共有される周波数帯域に独立に対応する1つのアップリンクキャリアが、前記第1のネットワークを用いることによって通信を実行し、セカンダリサービングセルが前記共有される周波数帯域のセルである何れかのUE1に対して設定されるとき、前記共有される周波数帯域上で前記第1のネットワークの共通信号を送信するよう構成される、請求項９記載の装置。
【請求項１１】
前記第1のネットワークはUMTSネットワークであり、前記第2のネットワークはLTEネットワークであり、
前記処理ユニットは、前記共有される周波数帯域上で前記UMTSネットワークのデータ信号を送信し、前記共有される周波数帯域上で前記LTEネットワークのDRS、CRS、SS又はPBCHの1つ以上を送信するか、又は、前記共有される周波数帯域上で前記LTEネットワークのデータ信号を送信し、前記共有される周波数帯域上で前記UMTSネットワークのSS、CCPCH又はCPICHの1つ以上を送信するよう構成される、請求項９又は１０記載の装置。
【請求項１２】
前記第1のネットワークを用いることによって通信を実行し、1つのみの共有される周波数帯域上で動作可能な他のユーザ装置を他の周波数帯域にハンドオーバする、及び/又は、前記第2のネットワークを用いることによって通信を実行し、1つのみの共有される周波数帯域上で動作可能な他のユーザ装置を他の周波数帯域にハンドオーバするよう構成されるハンドオーバユニットを更に含む、請求項９乃至１１何れか一項記載の装置。
【請求項１３】
請求項９乃至１２何れか一項記載の周波数帯域共有装置を有する周波数帯域共有システム。
【発明の詳細な説明】
【技術分野】
【０００１】
本発明は、通信分野に関し、特に周波数帯域共有方法、装置及びシステムに関する。
【背景技術】
【０００２】
無線通信の発展によって、無線通信要求がますます高くなり、データトラフィック及びレート要求がますます大きくなり、スペクトルリソース要求が急激に拡大されている。しかしながら、スペクトルリソースは無尽蔵の共通リソースではなく、従って、可能な限りスペクトル利用を向上させることが不可欠である。
【０００３】
無線通信システムでは、ユニバーサル・モバイル・テレコミュニケーションズ・システム（UMTS,  Universal  Mobile  Telecommunications  System）が広く利用され、ロング・ターム・エボリューション（LTE,  Long  Term  Evolution）技術が徐々に利用されている。いくつかの周波数帯域は、UMTSにおいて利用可能であって、LTEにおいてもまた利用可能な周波数帯域である。しかしながら、LTEのサービスとUMTSのサービスとは互いに独立している。UMTSのトラフィック量が低いとき、LTEのトラフィック量が非常に高く、スペクトルが不十分でさえあったり、あるいは、スペクトルが限られたりする。この結果、サービス品質が劣化する。同様に、LTEのトラフィック量が低いとき、UMTSのトラフィック量が非常に高くなるかもしれず、スペクトルが不十分でさえあったり、あるいは、スペクトルが限られたりする。この結果、サービス品質が劣化する。LTEとUMTSとは、時間共有方式で1つの周波数帯域を共有してもよく、これにより、LTEのUEとUMTSのUEとの双方が良好なデータ経験を有する。
【０００４】
従来技術では、共有される周波数帯域がLTE又はUMTSによって利用されるか否かは、UEの測定結果及びサービス要求に従って決定される。LTEが共有される周波数帯域を利用するとき、UMTSは共有される周波数帯域を利用せず、UMTSが共有される周波数帯域を利用するとき、LTEは共有される周波数帯域を利用しない。しかしながら、共有される周波数帯域が元のネットワークの周波数帯域として利用されることから、別のネットワークの周波数帯域として利用されることにスイッチされると、元のネットワークにおけるUEは共有される周波数帯域に対して様々な測定を依然として実行するため、共有される周波数帯域をスイッチすることは、誤った測定及びUEの接続の中断を引き起こす。UEに対するサービス継続性を確保するため、ネットワークサービスが共有される周波数帯域上で提供されるUEは、共有される周波数帯域がスイッチされる前に別の周波数帯域にハンドオーバされる必要があり、その後、共有される周波数帯域が別のネットワークにスイッチできる。さらに、共有される周波数帯域が元のネットワークにおいて再利用されるとき、UEはハンドオーバ方式で共有される周波数帯域に再びアクセスする必要がある。UEを別の周波数帯域にハンドオーバするか、あるいは、UEを共有される周波数帯域にハンドオーバすることは比較的長い時間がかかるため、UEが共有される周波数帯域との接続から切断するか、あるいは、確立することは比較的長い時間がかかる。さらに、元のUEのサービスは、ハンドオーバプロセスにおいて中断されうる。この結果、共有される周波数帯域の利用は低い。
【発明の概要】
【０００５】
本発明の実施例は、共有される周波数帯域の利用が効果的に向上可能となるように、周波数帯域共有方法、装置及びシステムを提供する。
【０００６】
第1の態様によると、本発明は、周波数帯域共有方法を提供し、ここで、当該方法は主として、
共有される周波数帯域を決定するステップであって、前記共有される周波数帯域は第1のネットワーク又は第2のネットワークに利用可能な周波数帯域であり、前記共有される周波数帯域のセルは、前記第1のネットワークを用いることによって通信を実行するユーザ装置UE1のセカンダリサービングセル及び前記第2のネットワークを用いることによって通信を実行するユーザ装置UE2のセカンダリサービングセルであり、前記UE1と前記UE2との双方は、前記共有される周波数帯域及び前記共有される周波数帯域以外の少なくとも1つの周波数帯域上で動作可能である、決定するステップと、
前記第1のネットワークと前記第2のネットワークとの双方において送信対象のサービスが存在する場合、前記第1のネットワークのサービス送信又は前記第2のネットワークのサービス送信が前記共有される周波数帯域上で実行されると判定し、前記第1のネットワークのサービス送信が前記共有される周波数帯域上で実行されるとき、前記共有される周波数帯域上で前記第2のネットワークの共通信号のみを送信するか、あるいは、前記第2のネットワークのサービス送信が前記共有される周波数帯域上で実行されるとき、前記共有される周波数帯域上で前記第1のネットワークの共通信号のみを送信するか、又は信号を送信しないステップと、
を有してもよい。
【０００７】
第1の態様の第1の可能な実現形態では、前記共有される周波数帯域上で前記第1のネットワークの共通信号のみを送信するか、又は信号を送信しないステップは、具体的には、前記共有される周波数帯域を含む複数のダウンリンクキャリア及び前記複数のダウンリンクキャリアに対応する1つのアップリンクキャリアが、前記第1のネットワークを用いることによって通信を実行し、セカンダリサービングセルが前記共有される周波数帯域のセルである全てのUE1に対して設定されるとき、前記共有される周波数帯域上で前記第1のネットワークの信号を送信しないステップか、又は、前記共有される周波数帯域及び前記共有される周波数帯域に独立に対応する1つのアップリンクキャリアが、前記第1のネットワークを用いることによって通信を実行し、セカンダリサービングセルが前記共有される周波数帯域のセルである何れかのUE1に対して設定されるとき、前記共有される周波数帯域上で前記第1のネットワークの共通信号を送信するステップを含む。
【０００８】
第1の態様又は第1の態様の第1の可能な実現形態を参照して、第2の可能な実現形態では、前記第1のネットワークはUMTSであり、前記第2のネットワークはLTEであり、前記第1のネットワークのサービス送信が前記共有される周波数帯域上で実行されるとき、前記共有される周波数帯域上で前記第2のネットワークの共通信号のみを送信するステップは、具体的には、前記共有される周波数帯域上で前記UMTSのデータ信号を送信し、前記共有される周波数帯域上で前記LTEのDRS、CRS、SS又はPBCHの1つ以上を送信するステップを含むか、又は、前記第2のネットワークのサービス送信が前記共有される周波数帯域上で実行されるとき、前記共有される周波数帯域上で前記第1のネットワークの共通信号のみを送信するステップは、具体的には、前記共有される周波数帯域上で前記LTEのデータ信号を送信し、前記共有される周波数帯域上で前記UMTSのSS、CCPCH又はCPICHの1つ以上を送信するステップを含む。
【０００９】
第1の態様の第2の可能な実現形態を参照して、第3の可能な実現形態では、前記第1のネットワークのサービス送信が前記共有される周波数帯域上で実行され、前記第2のネットワークのDRSのみが前記共有される周波数帯域上で送信されるとき、当該方法は更に、
前記UE2のCRSベース測定の設定をスキップするステップ、及び/又は、
前記DRSを送信する時間単位において圧縮モードで前記共有される周波数帯域上で前記第1のネットワークのデータ信号を送信するステップであって、前記DRSは長期間DRSである、送信するステップ、及び/又は、
前記データ信号及び/又は前記共通信号が前記DRSを送信する時間単位で前記第1のネットワークにおいて送信される送信電力は他の時間単位における送信電力未満であり、前記共通信号は前記SS、前記CCPCH又は前記CPICHの1つ以上を含み、及び/又は、
前記DRSを送信する時間単位において前記第1のネットワークの前記SS、前記CCPCH又は前記CPICHの1つ以上の送信をスキップするステップ、及び/又は、
前記UE2に対して測定区間を設定し、前記測定区間における前記共有される周波数帯域上の前記DRSの送信をスキップするステップを含む。
【００１０】
第1の態様の第2の可能な実現形態又は第3の可能な実現形態を参照して、第4の可能な実現形態では、前記DRSを送信する時間単位において送信されるDRSは、前記CRSを含まない。
【００１１】
第1の態様又は第1の態様の第1から第4の可能な実現形態の何れか1つを参照して、第5の可能な実現形態では、前記共有される周波数帯域を決定するステップの前に、当該方法は更に、
前記第1のネットワークを用いることによって通信を実行し、1つのみの共有される周波数帯域上で動作可能な他のユーザ装置を他の周波数帯域にハンドオーバするステップ、及び/又は、
前記第2のネットワークを用いることによって通信を実行し、1つのみの共有される周波数帯域上で動作可能な他のユーザ装置を他の周波数帯域にハンドオーバするステップを含む。
【００１２】
第1の態様又は第1の態様の第1から第5の可能な実現形態の何れか1つを参照して、第6の可能な実現形態では、前記第1のネットワークのサービス送信又は前記第2のネットワークのサービス送信が前記共有される周波数帯域上で実行されると判定するステップは、具体的には、前記第1のネットワークのトラフィック量及び前記第2のネットワークのトラフィック量に従って、前記第1のネットワークのサービス送信又は前記第2のネットワークのサービス送信が前記共有される周波数帯域上で実行されると判定するステップを含み、
具体的には、
前記第1のネットワークのトラフィック量が第1の閾値を超える、及び/又は前記第2のネットワークのトラフィック量が第2の閾値を超えないとき、前記第1のネットワークのサービス送信が前記共有される周波数帯域上で実行されると判定するステップ、
前記第1のネットワークのトラフィック量が前記第1の閾値を超えない、及び/又は前記第2のネットワークのトラフィック量が前記第2の閾値を超えるとき、前記第2のネットワークのサービス送信が前記共有される周波数帯域上で実行されると判定するステップ、又は、
前記第1のネットワークのトラフィック量が前記第1の閾値を超え、前記第2のネットワークのトラフィック量が前記第2の閾値を超えるとき、前記第2のネットワークのトラフィック量に対する前記第1のネットワークのトラフィック量の比が第3の閾値を超えると判定された場合、前記第1のネットワークのサービス送信が前記共有される周波数帯域上で実行されると判定するか、あるいは、前記第2のネットワークのトラフィック量に対する前記第1のネットワークのトラフィック量の比が前記第3の閾値を超えないと判定された場合、前記第2のネットワークのサービス送信が前記共有される周波数帯域上で実行されると判定するステップを含む。
【００１３】
第1の態様又は第1の態様の第1から第5の可能な実現形態の何れか1つを参照して、第6の可能な実現形態では、前記第1のネットワークのサービス送信が前記共有される周波数帯域上で実行されるとき、前記共有される周波数帯域上で前記第2のネットワークの共通信号のみを送信するステップは、具体的には、前記共有される周波数帯域上で動作するよう前記第1のネットワークをアクティブ化し、前記共有される周波数帯域上で動作することから前記第2のネットワークを非アクティブ化するか、又は、前記共有される周波数帯域上でOFF状態になるよう前記第2のネットワークを設定するステップを含み、
前記第2のネットワークのサービス送信が前記共有される周波数帯域上で実行されるとき、前記共有される周波数帯域上で前記第1のネットワークの共通信号のみを送信するか、又は信号を送信しないステップは、具体的には、前記共有される周波数帯域上で動作するよう前記第2のネットワークをアクティブ化するか、又は、前記共有される周波数帯域上でON状態になるよう前記第2のネットワークを設定し、及び/又は前記共有される周波数帯域上で動作することから前記第1のネットワークを非アクティブ化するステップを含む。
【００１４】
第2の態様によると、本発明は、周波数帯域共有装置を提供し、当該装置は、具体的には、
共有される周波数帯域を決定するよう構成される決定ユニットであって、前記共有される周波数帯域は第1のネットワーク又は第2のネットワークに利用可能な周波数帯域である、決定ユニットと、
前記第1のネットワークを用いることによって通信を実行するユーザ装置UE1のセカンダリサービングセル及び前記第2のネットワークを用いることによって通信を実行するユーザ装置UE2のセカンダリサービングセルとして前記共有される周波数帯域を設定するよう構成される設定ユニットであって、前記UE1と前記UE2との双方は、前記共有される周波数帯域及び前記共有される周波数帯域以外の少なくとも1つの周波数帯域上で動作可能である、設定ユニットと、
前記第1のネットワークと前記第2のネットワークとの双方において送信対象のサービスが存在する場合、前記第1のネットワークのサービス送信又は前記第2のネットワークのサービス送信が前記共有される周波数帯域上で実行されると判定し、前記第1のネットワークのサービス送信が前記共有される周波数帯域上で実行されるとき、前記共有される周波数帯域上で前記第2のネットワークの共通信号のみを送信するか、あるいは、前記第2のネットワークのサービス送信が前記共有される周波数帯域上で実行されるとき、前記共有される周波数帯域上で前記第1のネットワークの共通信号のみを送信するか、又は信号を送信しないよう構成される処理ユニットと、
を有してもよい。
【００１５】
第2の態様の第1の可能な実現形態では、前記処理ユニットは、具体的には、前記共有される周波数帯域を含む複数のダウンリンクキャリア及び前記複数のダウンリンクキャリアに対応する1つのアップリンクキャリアが、前記第1のネットワークを用いることによって通信を実行し、セカンダリサービングセルが前記共有される周波数帯域のセルである全てのUE1に対して設定されるとき、前記共有される周波数帯域上で前記第1のネットワークの信号を送信しないか、又は、前記共有される周波数帯域及び前記共有される周波数帯域に独立に対応する1つのアップリンクキャリアが、前記第1のネットワークを用いることによって通信を実行し、セカンダリサービングセルが前記共有される周波数帯域のセルである何れかのUE1に対して設定されるとき、前記共有される周波数帯域上で前記第1のネットワークの共通信号を送信するよう構成される。
【００１６】
第2の態様又は第2の態様の第1の可能な実現形態を参照して、第2の可能な実現形態では、前記第1のネットワークはUMTSであり、前記第2のネットワークはLTEであり、前記処理ユニットは、具体的には、前記共有される周波数帯域上で前記UMTSのデータ信号を送信し、前記共有される周波数帯域上で前記LTEのDRS、CRS、SS又はPBCHの1つ以上を送信するか、又は、前記共有される周波数帯域上で前記LTEのデータ信号を送信し、前記共有される周波数帯域上で前記UMTSのSS、CCPCH又はCPICHの1つ以上を送信するよう構成される。
【００１７】
第2の態様又は第2の態様の第1又は第2の可能な実現形態を参照して、第3の可能な実現形態では、当該装置は更に、前記第1のネットワークを用いることによって通信を実行し、1つのみの共有される周波数帯域上で動作可能な他のユーザ装置を他の周波数帯域にハンドオーバする、及び/又は、前記第2のネットワークを用いることによって通信を実行し、1つのみの共有される周波数帯域上で動作可能な他のユーザ装置を他の周波数帯域にハンドオーバするよう構成されるハンドオーバユニットを含んでもよい。
【００１８】
第3の態様によると、本発明は、周波数帯域共有システムを提供し、ここで、当該システムは主として、第2の態様において提供された周波数帯域共有装置を含んでもよい。
【００１９】
上記の技術的解決策から、本発明の実施例が以下の効果を有することが分かりうる。
【００２０】
本発明の実施例では、共有される周波数帯域のセルは、第1のネットワークを用いることによって通信を実行するUEのセカンダリサービングセル及び第2のネットワークを用いることによって通信を実行するUEのセカンダリサービングセルであり、2つのネットワークのUEは、共有される周波数帯域及び共有される周波数帯域以外の少なくとも1つの周波数帯域上で動作可能である。共有される周波数帯域が2つのネットワークの間でスイッチされるとき、元のネットワークのUEは共有される周波数帯域上で共通信号しか受信せず、共有される周波数帯域のセルは元のネットワークのUEのセカンダリサービングセルであるため、元のネットワークのUEのサービス継続性が、UEを他の周波数帯域にハンドオーバする必要なく確保できる。従って、第1のネットワークと第2のネットワークとの間の共有される周波数帯域の共有が効果的に実現され、2つのネットワークの間のスイッチが迅速に完了されてもよく、共有される周波数帯域の利用が効果的に向上される。
【図面の簡単な説明】
【００２１】
本発明の実施例における技術的解決策をより明確に説明するため、以下は、実施例を説明するのに必要とされる添付図面を簡単に説明する。明らかに、以下の説明における添付図面は本発明の単なるいくつかの実施例を示し、当業者は、創作的な努力なく、これらの添付図面から他の図面を依然として導出してもよい。
【図１】図1は、本発明の実施例による周波数帯域共有方法の概略的なフローチャートである。
【図２】図2は、本発明の実施例によるコンフィギュレーション方式の概略図である。
【図３】図3は、本発明の実施例による周波数帯域共有装置の概略的な構成図である。
【図４】図4は、本発明の実施例によるネットワークコントローラの概略的な構成図である。
【発明を実施するための形態】
【００２２】
以下は、本発明の実施例における添付図面を参照して本発明の実施例における技術的解決策を明確且つ完全に説明する。明らかに、説明される実施例は、本発明の実施例の全てでなく単なる一部である。創作的な努力なく本発明の実施例に基づき当業者によって取得される他の全ての実施例は、本発明の保護範囲内に属する。
【００２３】
本発明の実施例は、第1のネットワークと第2のネットワークとの間で共有される周波数帯域の共有が効果的に実現され、2つのネットワークの間のスイッチが迅速に完了され、スペクトル利用が向上されるように、周波数帯域共有方法を提供する。さらに、周波数帯域共有装置及び対応する周波数帯域共有システムが更に提供され、図1〜図4が参照されうる。以下は、特定の実施例を参照して詳細な説明を別々に与える。
【００２４】
本発明の実施例によって提供される周波数帯域共有方法は、無線通信システムに適用可能であってもよく、具体的には、2つの異なる無線通信システムの間で共有される周波数帯域をスイッチする周波数帯域共有方法であり、2つのネットワークは、共有される周波数帯域を時間共有方式で共有してもよい。説明の簡単化のため、周波数帯域共有方法が周波数帯域共有装置の観点から説明される。例えば、周波数帯域共有装置は、具体的には、ネットワークコントローラであってもよい。ネットワークコントローラは、第1のネットワークにおけるUE1のサービス要求、測定結果などと、第2のネットワークにおけるUE2のサービス要求、測定結果などとを学習してもよく、共有される周波数帯域が第1のネットワーク又は第2のネットワークによって利用されるか否かが連携によって決定される。周波数帯域共有方法は、1つ以上の基地局によってカバーされる第1のネットワーク及び第2のネットワークに適用可能であってもよい。
【００２５】
図1を参照して、図1は、本発明の実施例による周波数帯域共有方法の概略的なフローチャートであり、当該方法は、具体的には、以下のステップを含んでもよい。
【００２６】
ステップ101:共有される周波数帯域を決定し、ここで、共有される周波数帯域は第1のネットワーク又は第2のネットワークに利用可能な周波数帯域であり、共有される周波数帯域のセルは、第1のネットワークを用いることによって通信を実行するユーザ装置UE1のセカンダリサービングセル及び第2のネットワークを用いることによって通信を実行するユーザ装置UE2のセカンダリサービングセルであり、UE1とUE2との双方は、共有される周波数帯域及び共有される周波数帯域以外の少なくとも1つの周波数帯域上で動作可能である。
【００２７】
説明の容易化のため、本発明では、第1のネットワークを用いることによって通信を実行するユーザ装置がUE1として説明され、第2のネットワークを用いることによって通信を実行するユーザ装置がUE2として説明され、UE1及びUE2は、同じUEであってもよいし、あるいは、異なるUEであってもよい。
【００２８】
共有される周波数帯域は、第1ネットワーク又は第2ネットワークにおいて通信を実行するため利用されてもよく、共有される周波数帯域は、共有される周波数帯域が決定された後、UE1のセカンダリサービングセル及びUE2のセカンダリサービングセルとして設定されてもよい。UE1が動作しうる他の周波数帯域における1つの周波数帯域がプライマリサービングセルとして設定され、同様に、UE2が動作しうる他の周波数帯域における1つの周波数帯域がプライマリサービングセルとして設定される。
【００２９】
UE1とUE2との双方が共有される周波数帯域及び共有される周波数帯域以外の少なくとも1つの周波数帯域とにおいて動作可能であることを確保するため、ステップ101の前に、当該方法は更に、第1のネットワークを用いることによって通信を実行し、1つのみの共有される周波数帯域上で動作可能な他のユーザ装置を他の周波数帯域にハンドオーバし、及び/又は、第2のネットワークを用いることによって通信を実行し、1つのみの共有される周波数帯域上で動作可能な他のユーザ装置を他の周波数帯域にハンドオーバすることを含んでもよい。
【００３０】
ステップ102:第1のネットワークと第2のネットワークとの双方において送信対象のサービスが存在する場合、第1のネットワークのサービス送信又は第2のネットワークのサービス送信が共有される周波数帯域上で実行されると判定し、第1のネットワークのサービス送信が共有される周波数帯域上で実行されるとき、共有される周波数帯域上で第2のネットワークの共通信号のみを送信するか、あるいは、第2のネットワークのサービス送信が共有される周波数帯域上で実行されるとき、共有される周波数帯域上で第1のネットワークの共通信号のみを送信するか、又は信号を送信しない。
【００３１】
第1ネットワークと第2ネットワークとの双方において送信対象のサービスがある場合、共有される周波数帯域を用いるネットワークが、第1ネットワークのトラフィック量及び第2ネットワークのトラフィック量に従って決定されてもよく、あるいは、共有される周波数帯域を用いるネットワークが、第1ネットワークのUE1の無線リソース測定（RRM）測定結果及び第2ネットワークのUE2のRRM測定結果に従って決定されてもよい。さらに、上記の判定は更に、サービス優先度、トラフィック量のサイズ、サービス緊急レベル、サービス品質要求、サービスタイプ及びサービス提供されるユーザの数など、第1ネットワークのサービス及び第2ネットワークのサービスに従って実行されてもよい。
【００３２】
実現形態では、第1のネットワークは、ユニバーサル・モバイル・テレコミュニケーションズ・システム（UMTS,  Universal  Mobile  Telecommunications  System）であってもよく、第2のネットワークは、ロング・ターム・エボリューション（LTE,  Long  Term  Evolution）技術又はLTE-Aであってもよい。本発明の本実施例では、当該方法がLTE/LTE-A無線通信システム及びUMTS無線通信システムに適用されることは、当該方法を分析及び説明するための具体例として用いられ、本発明に対して何れの限定も構成しない。
【００３３】
LTEシステムでは、セルのON/OFFがRelease  12において導入される。この場合、セルがON状態にあるとき、すなわち、様々なサービスデータ、共通信号及び共通チャネルが送信されうるとき、セルはUEに適切にサービス提供してもよく、ここで、共通信号及びチャネルは、セル固有リファレンス信号（CRS,  Cell-specific  Reference  Signal）、同期信号（SS,  Synchronization  Signal）及び物理ブロードキャストチャネル（PBCH,  Physical  Broadcast  Channel）を含み、CRS、SS及びPBCHは周期的に送信される（セルがこれらの信号を送信する理由は、UEが何らかの測定を実行し、何らかの必要なシグナリングを受信することである）。しかしながら、セルがOFF状態にあるとき、セルは、長期間の専用リファレンス信号（DRS,  Dedicated  Reference  Signal）のみを送信してもよい。セルのON/OFFは、サービス要求の変更及び各キャリアに対するRRM測定結果に従って選択されてもよい。UEは、セルがON状態にあるとき、CRS又はDRSに従って測定を実行してもよく、あるいは、セルがOFF状態にあるとき、DRSのみに従ってRRM測定を実行してもよい。
【００３４】
キャリアアグリゲーション（CA,  Carrier  Aggregation）がRelease  10において導入され、CAをサポートするUEは、少なくとも2つのキャリアによって同時にサービス提供されてもよく、各キャリアは、1つのキャリア上のセルがプライマリサービングセルPcellとして用いられ（Pcellは、UEによって最初にアクセスされるセルであり、別のキャリアは、Pcellを用いることによってUEに対して設定されうる）、別のキャリア上のセルが、セカンダリサービングセルScellとして使用される。Pcellは非アクティブ化できない。Scellはアクティブ化及び非アクティブ化できる。UEがScellから送信用のデータを受信することを開始可能になる前に、UEが各アクティブ化のため準備（例えば、デバイスパラメータ調整及び同期）を行うことは時間がかかる。Scellがアクティブ化されると、Scellは、ON状態におけるセルと同様にUEに適切にサービス提供してもよく、すなわち、様々なサービスデータ及びCRS/SS/PBCHなどの共通信号又はチャネルが送信されてもよい。しかしながら、Scellが非アクティブ化されると、Scellは、CRS、SS又はPBCHなどの共通信号又はチャネルのみを送信可能である。これは、DRSのみを送信するOFF状態におけるセルとは異なる。Scellのアクティブ化/非アクティブ化は、サービス要求の変更及び/又は各キャリアに対するRRM測定結果に従って選択されてもよい。アクティブ化/非アクティブ化はまた、サービス要求の変更及び/又は各セルのRRM測定結果に従って選択されてもよい。UEは、CRS又はDRSに従ってRRM測定を実行してもよい。
【００３５】
セルのON/OFFは、UMTSシステムには導入されていないが、CAと同様の設計、すなわち、デュアルセル（DC,  Dual  Cell）があり、ここでは、1つのキャリア上のセルがUEのPcellとして使用され、少なくとも1つの他のキャリア上のセルがUEのScell（すなわち、セカンダリサービングHS-DSCHセル）として設定される。物理レイヤシグナリングは、UMTSのアクティブ化又は非アクティブ化において用られ、UEは、ダウンリンク信号を受信し、Scellがアクティブ化された後、4ms（UEに対して1つのアップリンクキャリアのみが設定されるとき）と6ms（UEに対して複数のアップリンクキャリアが設定されるとき）との間でサービス提供され始めてもよい。Scellが非アクティブ化されるとき、複数のダウンリンクキャリア及び複数のダウンリンクキャリアに対応する1つのアップリンクキャリアがUEに対して設定される場合、複数のダウンリンクキャリアにおけるPcellを除いて、各Scellが1つのアップリンクキャリアを当該Scellが独立して対応するUEにサービス提供しないとき、ダウンリンクScellは信号を送信しなくてもよく、あるいは、UEに対して設定された少なくとも1つのアップリンクキャリアに対応するダウンリンクキャリアが1つしかない場合、当該キャリアが何れのUEにもサービス提供しない場合であっても、同期信号（SS,  Synchronization  Signal）、共通パイロットチャネル（CPICH,  Common  Pilot  Channel）及び共通制御物理チャネル（CCPCH,  Common  Control  Physical  Channel）などの共通信号又はチャネルが送信される必要がある。しかしながら、送信電力の小さな部分のみがSS/CCPCH/CPICHを送信するため占有され、送信電力の大部分はデータを送信するのに使用される。Scellのアクティブ化/非アクティブ化は、サービス要求の変更などに従って実行されてもよい。
【００３６】
第1のネットワークがUMTSであり、第2のネットワークがLTEであることは、本発明の本実施例を以下で詳細に説明するための具体例として使用される。
【００３７】
まず、UMTS及びLTEの共有される周波数帯域が決定される。
【００３８】
共有される周波数帯域は、UMTS又はLTEにおいて通信を実行するのに使用されてもよい。UMTS及びLTEにおける周波数帯域は、それぞれ、LTEのキャリア及びUMTSのキャリアであるキャリアの形態で存在することが留意されるべきである。
【００３９】
UMTS及びLTEの1つ以上の共有される周波数帯域が存在してもよい。例えば、共有される周波数帯域は、5MHz、10MHz、15MHz又は20MHzの1つ以上であってもよい。UMTS及びLTEにおいて1つの共有される周波数帯域がある場合、共有される周波数帯域は5MHzであってもよく、あるいは、それぞれ5MHz及び10MHzである2つの共有される周波数帯域が存在してもよく、あるいは、それぞれ5MHz、10MHz及び20MHzである3つの共有される周波数帯域が存在してもよいなどである。本発明の本実施例では、UMTS及びLTEの共有される周波数帯域が5MHzであることが、詳細な説明のための具体例として使用され、本発明に対する何れかの限定を構成するものでない。1つのキャリアのみをサポート可能なユーザは、UMTS及びLTEにおける別のセル又はキャリアにハンドオーバされ、これにより、DCをサポートするUMTS  UE及びCAをサポートするLTE  UEのみが、5MHzの周波数帯域を利用してもよい。
【００４０】
UMTS  UE（説明の簡単化のため、以下においてUE1として説明される）及びLTE  UE（説明の簡単化のため、以下においてUE2として説明される）は、5MHzで動作しうる。さらに、UE1は、共有される周波数帯域及び共有される周波数帯域以外の少なくとも1つの周波数帯域上で動作してもよく、UE2は、共有される周波数帯域及び共有される周波数帯域以外の少なくとも1つの周波数帯域上で動作してもよい。DCをサポートするUE1及びCAをサポートするUE2のみが共有される周波数帯域を使用してもよいことを確実にするため、1つの周波数帯域のみをサポートできる別のユーザ装置が、別のセル又は周波数帯域にハンドオーバされる。
【００４１】
共有される周波数帯域は、UE1のセカンダリサービングセルScellとして設定されてもよく、UE1が動作しうる他の周波数帯域における何れかの周波数帯域のセルが、UE1のプライマリサービングセルPcellであり、ここで、Scell及びPcellは同じ基地局によってカバーされてもよく、Scell及びPcellのカバレッジエリアは基本的に同じである。同様に、共有される周波数帯域は、UE2のセカンダリサービングセルScellとして設定されてもよく、UE2が動作しうる他の周波数帯域における何れかの周波数帯域のセルが、UE2のプライマリサービングセルPcellである。Scell及びPcellは同じ基地局によってカバーされてもよく、Scell及びPcellのカバレッジエリアは基本的に同じである。
【００４２】
上記の方法によると、サービスが共有される周波数帯域上の2つのネットワークにおいて時間共有方式で送信されることが保証できる。サービスが共有される周波数帯域上で送信されないネットワークに対して、UEの測定が中断されないことを確実にするため、共通信号は必要に応じて特定の方式で送信されてもよいし、送信されなくてもよい。従って、UEは、UEが通信を実行するネットワーク規格について共有される周波数帯域が利用されないため、共有される周波数帯域から切断せず、UEが通信を実行するネットワーク規格について共有される周波数帯域が再利用されるため、共有される周波数帯域との接続を再確立しない。ネットワークからの切断及びネットワークへの再接続のステップが繰り返し実行される必要はなく、サービス送信のために時間が利用可能になり、共有される周波数帯域上のサービス送信に利用可能な時間がより長くなり、スペクトル利用が効果的に改善される。
【００４３】
図2を参照して、図2は、本発明の実施例によるコンフィギュレーション方式の概略図である。図2において、CC2は5MHzの共有される周波数帯域のセルを表し、CC1、CC3及びCC4は、2つのネットワークの独立した周波数帯域であり、ここで、CC1は10MHzセルを表し、CC3は10MHzセルを表し、CC4は10MHzセルを表す。
【００４４】
そして、サービス送信が共有される周波数帯域上でUMTS又はLTEによって実行されることが決定される。
【００４５】
第1のネットワークと第2のネットワークとの双方に送信対象のサービスがある場合、共有される周波数帯域を用いるネットワークが決定される必要がある。例えば、決定は、サービス優先度、トラフィック量のサイズ、サービス緊急レベル、サービス品質要求、サービスタイプ又はサービス提供されるユーザの数など、第1のネットワークのサービス及び第2のネットワークのサービスに従って実行されてもよい。
【００４６】
第1のネットワークのトラフィック量及び第2のネットワークのトラフィック量に従って、第1のネットワークのサービス送信又は第2のネットワークのサービス送信が共有される周波数帯域上で実行されると判定されることは、具体的には、
第1のネットワークのトラフィック量が第1の閾値を超えるか、又は、第2のネットワークのトラフィック量が第2の閾値を超えないとき、あるいは、第1のネットワークのトラフィック量が第1の閾値を超え、第2のネットワークのトラフィック量が第2の閾値を超えないとき、第1のネットワークのサービス送信が共有される周波数帯域上で実行されると判定し、
第1のネットワークのトラフィック量が第1の閾値を超えるか、又は、第2のネットワークのトラフィック量が第2の閾値を超えるとき、あるいは、第1のネットワークのトラフィック量が第1の閾値を超えず、第2のネットワークのトラフィック量が第2の閾値を超えるとき、第2のネットワークのサービス送信が共有される周波数帯域上で実行されると判定するか、又は、
第1のネットワークのトラフィック量が第1の閾値を超え、第2のネットワークのトラフィック量が第2の閾値を超えるとき、第2のネットワークのトラフィック量に対する第1のネットワークのトラフィック量の比が第3の閾値を超えると判定された場合、第1のネットワークのサービス送信が共有される周波数帯域上で実行されると判定するか、あるいは、第2のネットワークのトラフィック量に対する第1のネットワークのトラフィック量の比が第3の閾値を超えないと判定された場合、第2のネットワークのサービス送信が共有される周波数帯域上で実行されると判定することを含む。
【００４７】
第1の閾値、第2の閾値及び第3の閾値は自己定義されてもよく、これは具体的には本実施例において限定されない。
【００４８】
UMTSのトラフィック量が第1の閾値を超える場合、それは、共有される周波数帯域上にUMTSの大きなトラフィック量があることを示し、UMTSのサービス送信が共有される周波数帯域上で実行され、同様に、LTEのトラフィック量が第2の閾値を超える場合、それは、共有される周波数帯域上にLTEの大きなトラフィック量があることを示し、LTEのサービス送信が共有される周波数帯域上で実行されるか、あるいは、UMTSのサービス要求とLTEのサービス要求との双方が大変大きい場合、UMTS又はLTEが共有される周波数帯域上で動作するかは、UMTS及びLTEのトラフィック量の比を比較することによって決定される。LTEのトラフィック量に対するUMTSのトラフィック量の比が第3の閾値を超える場合、UMTSのサービス送信が共有される周波数帯域上で実行されると判定され、あるいは、LTEのトラフィック量に対するUMTSのトラフィック量の比が第3の閾値を超えない場合、LTEのサービス送信が共有される周波数帯域上で実行されると判定される。
【００４９】
第1のネットワークのサービス送信が共有される周波数帯域上で実行されるとき、共有される周波数帯域上で第2のネットワークの共通信号のみを送信することは、具体的には、
共有される周波数帯域上で動作するよう第1のネットワークをアクティブ化し、共有される周波数帯域上で動作することから第2のネットワークを非アクティブ化するか、又は、共有される周波数帯域上で動作するよう第1のネットワークをアクティブ化し、共有される周波数帯域上でOFF状態になるよう第2のネットワークを設定することを含む。
【００５０】
第2のネットワークのサービス送信が共有される周波数帯域上で実行されるとき、共有される周波数帯域上で第1のネットワークの共通信号のみを送信するか、又は信号を送信しないことは、具体的には、
共有される周波数帯域上で動作するよう第2のネットワークをアクティブ化し、共有される周波数帯域上で動作することから第1のネットワークを非アクティブ化するか、あるいは、共有される周波数帯域上でON状態になるよう第2のネットワークを設定し、共有される周波数帯域上で動作することから第1のネットワークを非アクティブ化することを含む。
【００５１】
1つのケースでは、サービス送信が5MHzにおいてLTEによって実行されると判定された場合、LTEがON状態であるときは信号が送信され、あるいは、LTEがアクティブ化された状態であるときは信号が送信され、すなわち、LTEは各種サービスデータを適切に送信し、共通信号/チャネルが５MHｚ周波数帯域上で適切に送信されてもよい。この場合、UMTSにおけるScellは非アクティブ化された状態であり、共有される周波数帯域及び共有される周波数帯域（ダウンリンクキャリア）に対応する1つのアップリンクキャリアが設定されてもよく、あるいは、共有される周波数帯域を含む複数のダウンリンクキャリア及び複数のダウンリンクキャリアに対応する1つのアップリンクキャリアが設定されてもよい。具体的には、一方では、共有される周波数帯域を含む複数のダウンリンクキャリア及び複数のダウンリンクキャリアに対応する1つのアップリンクキャリアが、第1のネットワークを用いることによって通信を実行し、セカンダリサービングセルが共有される周波数帯域のセルである全てのUE1に対して設定される場合、UMTSの信号は5MHzの共有される周波数帯域上で送信されなくてもよく、他方、共有される周波数帯域及び共有される周波数帯域に独立に対応する1つのアップリンクキャリアが、第1のネットワークを用いることによって通信を実行し、セカンダリサービングセルが共有される周波数帯域のセルである何れかのUE1に対して設定される場合、UMTSのSS、CCPCH及びCPICHなどの共通信号又はチャネルが送信され、5MHzの共有される周波数帯域上では他の信号は送信されない。SS/CCPCH/CPICHの送信電力が大変低く、このため、UMTSが非アクティブ化されると、共有される周波数帯域上でこれらの共通信号又はチャネルを送信することによって引き起こされるLTEシステムに対する干渉は大変わずかである。UMTSでは、共有される周波数帯域のScellは非アクティブ化されているため、共有される周波数帯域上でUE1によって測定は実行されず、共有される周波数帯域上でUE1によってRRM測定が実行される場合であっても、ネットワークコントローラは、UMTSのサービス要求などのルールに従って、共有される周波数帯域がUE1のScellとしてアクティブ化される必要があるか判定してもよい。
【００５２】
他のケースでは、サービス送信が5MHzにおいてUMTSによって実行されていると判定された場合、UMTSにおけるScellはアクティブ化された状態にあり、UMTSの各種サービスデータは5MHzにおいて送信されてもよく、各種サービスデータは、5MHzにおいてUE1によって適切に受信されてもよい。この場合、LTEにおけるScellは、非アクティブ化された状態又はOFF状態にあり、共通信号/チャネルが、非アクティブ化された状態又はOFF状態に従ってLTEにおいて5MHzで送信されてもよい。一方、DRSのみがUMTSシステム上の干渉を低減するため、ScellのOFF状態に従ってLTEにおいて送信される場合、DRSは長期間のDRSであり、40ms、80ms又は160msなどのDRSの期間が設定又は調整されてもよく、各送信持続時間は、1〜5msなど設定又は調整されてもよい。さらに、DRSを送信するのに実際に利用される必要がある信号は、CSIRSを送信するか否か、あるいは、CRSを使用するか否かなど、設定又は調整されてもよい。この場合、UMTSシステムに対するLTEシステムによって引き起こされる影響を低減するため、DRSのより長い期間（例えば、160ms）、及び/又はDRSのより短い期間（例えば、1ms）、及び/又はいくつかの信号がDRSにおいて送信されない（例えば、CRSが送信されない）ことが、必要に応じて設定されてもよい。他方、CRS/SS/PBCHなどの共通信号及びチャネルは、非アクティブ化された状態に従ってLTEにおいて依然として送信されてもよい。この場合、信号はLTEシステムとUMTSシステムとの双方において共有される周波数帯域上で送信される（様々なサービスデータがUMTSにおいて適切に送信され、DRS又はCRS/SS/PBCHがLTEにおいて送信される）、これにより、相互干渉が生成されることが理解されてもよい。LTEシステム及びUMTSシステムは、干渉が許容範囲内であれば共存しうる。UMTSは干渉制限されたシステムであるため、LTEにおいてCRS/SS/PBCHを送信することによって引き起こされるUMTSへの干渉はわずかであるが、雑音強度は増加する。逆に、LTEに対するUMTSによって引き起こされる干渉は、雑音又は干渉強度の増加と等価であり、LTEの測定精度が低下する。いくつかの実現形態では、UMTSに対するLTEによって引き起こされる干渉を低減するため、共有される周波数帯域上のLTEの送信電力が制限されてもよい。例えば、送信は、DRSを送信する時間単位以外の時間単位の送信電力より低い送信電力を用いることによって実行される。
【００５３】
LTEが共有される周波数帯域上でOFF状態にあるとき、UMTSとLTEとの間の干渉を低減するため、以下は具体的には、
A.UE2のCRSベース測定の設定をスキップし、及び/又は、
B.DRSを送信する時間単位において圧縮モードで共有される周波数帯域上で第1のネットワークのデータ信号を送信し、ここで、DRSは長期間DRSであり、及び/又は、
C.DRSを送信する時間単位において第1のネットワークにおける低減された送信電力を用いることによってデータ及び/又は共通信号を送信し、ここで、共通信号はSS、CCPCH又はCPICHの1つ以上を含み、例えば、送信は、DRSを送信する時間単位以外の他の時間単位における時間単位未満である送信電力を用いることによって実行され、及び/又は、
D.DRSを送信する時間単位において第1のネットワークのSS、CCPCH又はCPICHの1つ以上の送信をスキップし、及び/又は、
E.UE2に対して測定区間を設定し、測定区間における共有される周波数帯域上のDRSの送信をスキップする、
ことを含んでもよい。
【００５４】
1つ以上のステップが、実現のため上記のA,B,C,D及びEから選択されてもよく、これは具体的には本発明では限定されない。
【００５５】
また更に、DRSを送信する時間におけるDRSはCRSを排除してもよく、これにより、UMTSに対するLTEによって引き起こされる干渉が低減されてもよい。
【００５６】
上記Aでは、UE2のCRSベースRRM測定が設定されていないため、UE2のCRSベースRRM測定は無視されてもよく、CRSの代わりにCSIRSが共有される周波数帯域上で送信されてもよい。従って、LTEによってDRSを送信する際にUMTSによって引き起こされる干渉が効果的に低減されうる。さらに、DRSが送信されるときのUMTSに対する干渉を低減するため、LTEによって送信されるDRSは長期のDRSであり、DRSの送信サブフレーム（例えば、160msの長い期間が設定され、1〜2msのDRS持続時間が設定される）は可能な限り低く設定される。
【００５７】
上記Bでは、共有される周波数帯域上でUMTSによって送信されるサービスデータは、サービスデータが圧縮された後に送信され、UE1は、圧縮されたデータ信号を受信した後に数msで別の周波数帯域に対して測定を実行するが、Scell上で何れの信号も受信しない。この場合、LTEによるDRSの送信は、UMTSに対する干渉を引き起こさない。
【００５８】
上記Cでは、第1のネットワークは、DRSを送信する時間単位において低減された送信電力を用いることによってデータ及び/又は共通信号を送信し、ここで、共通信号はSS、CCPCH又はCPICHの1つ以上を含む。例えば、送信は、DRSを送信する時間単位以外の他の時間単位における送信電力未満の送信電力を用いることによって実行され、これにより、LTEのDRSに対するUMTSによって引き起こされる干渉が低減されてもよい。
【００５９】
上記Dでは、SS、CCPCH又はCPICHの1つ以上が、LTEにおいてDRSを送信する時間期間では、UMTSにおいて共有される周波数帯域上で送信されず、LTEによるDRSの送信に対する干渉が低減され、これにより、UE2のDRSベース測定はより信頼できる。
【００６０】
上記Eでは、測定区間GapがUE2に対して設定され、GapではLTEにおける共有される周波数帯域上で信号は送信されず、すなわち、UE2はScellの信号を受信せず、これにより、何れかのサービスデータが、LTEとUMTSとの間の干渉を引き起こすことなく、UMTSにおいて共有される周波数帯域上で送信されてもよい。
【００６１】
LTEが共有される周波数帯域上で非アクティブ化された状態にある場合、UMTSとLTEとの間の干渉を低減するため、一方において、DRSコンフィギュレーション及びDRS関連RRM測定がない場合であって、UE2の設定されたRRM測定が、UMTSが共有される周波数帯域を使用する際に行われる場合、UE2のRRM測定結果は利用されなくてもよいか、あるいは、上向きの調整がUE2のRRM測定結果に対して実行された後に利用されてもよく、調整された測定結果がUE2に通知されてもよい。他方、DRS関連RRM測定がある場合、UMTSとLTEとの間の干渉は、信号が上記Bにおいて説明されたように圧縮された後に信号を送信するか、あるいは、上記Dにおいて説明されたように測定区間Gapを設定するなどの方式で低減されてもよい。
【００６２】
信号を送信するためLTEにおいて非アクティブ化された状態が利用されるとき、比較的強力な干渉がUMTSに対して生じる可能性があることが留意されるべきである。従って、非常に重要なサービス又は高い優先度を有するユーザ装置がある場合、LTEは、好ましくはON/OFF状態にある。UE2がON/OFFをサポートせず、CAをサポートするとき、LTEは、CAのアクティブ化/非アクティブ化モードになるよう構成されてもよい。
【００６３】
共有される周波数帯域はUE2のセカンダリサービングセルであり、UE2のセカンダリサービングセルがOFF状態又は非アクティブ化された状態にあるとき、UE2は、他の周波数帯域（プライマリサービングセルとして設定される周波数帯域）を用いることによってサービス送信を依然として実行してもよい。同様に、共有される周波数帯域はUE1のセカンダリサービングセルであり、UE1のセカンダリサービングセルが非アクティブ化された状態にあるとき、UE1は、サービス中断を引き起こすことなく、別の周波数帯域（プライマリサービングセルとして設定される周波数帯域）を用いることによってサービス送信を依然として実行してもよい。従って、UEのサービス継続性が保証できる。
【００６４】
上記から、本発明の本実施例では、共有される周波数帯域のセルは、第1のネットワークを用いることによって通信を実行するUEのセカンダリサービングセル及び第2のネットワークを用いることによって通信を実行するUEのセカンダリサービングセルであり、2つのネットワークのUEは共有される周波数帯域及び共有される周波数帯域以外の少なくとも1つの周波数帯域上で動作可能であることが分かりうる。共有される周波数帯域が2つのネットワークのスイッチされるとき、元のネットワークのUEは共有される周波数帯域上で共通信号のみを受信し、共有される周波数帯域のセルは元のネットワークのUEのセカンダリサービングセルであるため、元のネットワークのUEのサービス継続性が、UEを別の周波数帯域にハンドオーバする必要なく保証できる。従って、第1のネットワークと第2のネットワークとの間の共有される周波数帯域の共有が効果的に実現され、2つのネットワーク間のスイッチが迅速に完了され、共有される周波数帯域の利用が効果的に改善される。
【００６５】
本発明の実施例において提供される周波数帯域共有方法をより良く実現するため、本発明の実施例は更に、上記の周波数帯域共有方法に基づく周波数帯域共有装置を提供し、周波数帯域共有装置はネットワークコントローラであってもよい。名詞の意味は、上記の周波数帯域共有方法におけるものと同じである。具体的な実現形態の詳細について、方法の実施例における説明を参照されたい。
【００６６】
図3を参照して、図3は、本発明の実施例による周波数帯域共有装置の概略的な構成図である。周波数帯域共有装置200は、主として決定ユニット201、設定ユニット202及び処理ユニット203を含んでもよい。
【００６７】
決定ユニット201は、共有される周波数帯域を決定するよう構成され、ここで、共有される周波数帯域は第1のネットワーク又は第2のネットワークに利用可能な周波数帯域である。
【００６８】
設定ユニット202は、第1のネットワークを用いることによって通信を実行するユーザ装置UE1のセカンダリサービングセル及び第2のネットワークを用いることによって通信を実行するユーザ装置UE2のセカンダリサービングセルとして共有される周波数帯域を設定するよう構成され、ここで、UE1とUE2との双方は、共有される周波数帯域及び共有される周波数帯域以外の少なくとも1つの周波数帯域上で動作可能である。
【００６９】
処理ユニット203は、第1のネットワークと第2のネットワークとの双方において送信対象のサービスが存在する場合、第1のネットワークのサービス送信又は第2のネットワークのサービス送信が共有される周波数帯域上で実行されると判定し、第1のネットワークのサービス送信が共有される周波数帯域上で実行されるとき、共有される周波数帯域上で第2のネットワークの共通信号のみを送信するか、あるいは、第2のネットワークのサービス送信が共有される周波数帯域上で実行されるとき、共有される周波数帯域上で第1のネットワークの共通信号のみを送信するか、又は信号を送信しないよう構成される。
【００７０】
いくつかの実現形態では、処理ユニット203は、具体的には、共有される周波数帯域を含む複数のダウンリンクキャリア及び複数のダウンリンクキャリアに対応する1つのアップリンクキャリアが、第1のネットワークを用いることによって通信を実行し、セカンダリサービングセルが共有される周波数帯域のセルである全てのUE1に対して設定されるとき、共有される周波数帯域上で第1のネットワークの信号を送信しないか、又は、共有される周波数帯域及び共有される周波数帯域に独立に対応する1つのアップリンクキャリアが、第1のネットワークを用いることによって通信を実行し、セカンダリサービングセルが共有される周波数帯域のセルである何れかのUE1に対して設定されるとき、共有される周波数帯域上で第1のネットワークの共通信号を送信するよう構成される。
【００７１】
いくつかの実現形態では、第1のネットワークはUMTSであり、第2のネットワークはLTEである。このとき、対応して、処理ユニット203は、具体的には、共有される周波数帯域上でUMTSのデータ信号を送信し、共有される周波数帯域上でLTEのDRS、CRS、SS又はPBCHの1つ以上を送信するか、又は、共有される周波数帯域上でLTEのデータ信号を送信し、共有される周波数帯域上でUMTSのSS、CCPCH又はCPICHの1つ以上を送信するよう構成される。
【００７２】
また更に、周波数帯域共有装置は更にハンドオーバユニット204を含んでもよく、ここで、ハンドオーバユニット204は、第1のネットワークを用いることによって通信を実行し、1つのみの共有される周波数帯域上で動作可能な他のユーザ装置を他の周波数帯域にハンドオーバする、及び/又は、第2のネットワークを用いることによって通信を実行し、1つのみの共有される周波数帯域上で動作可能な他のユーザ装置を他の周波数帯域にハンドオーバするよう構成される。
【００７３】
上記の実施例では、各実施例の説明は各自の着目を有する。実施例において詳細に説明されない部分について、他の実施例における関連する説明が参照されてもよい。
【００７４】
さらに、本発明は更に、ネットワークコントローラ、すなわち、上記の実施例において説明される周波数帯域共有装置を提供する。ネットワークコントローラは、第1のネットワーク及び第2のネットワークにおいて配置され、図4において、概略的な構成図が示される。ネットワークコントローラは、バスに接続するプロセッサを含み、ネットワークコントローラは更に、メモリ301、送信機302、受信機303などを含んでもよい。
【００７５】
メモリ301は、例えば、プログラムコードなど、プロセッサ300によって処理されるデータの必要なファイルなどの情報を記憶するよう構成される。本実施例では、メモリ301に記憶されるプログラムコードは上記の周波数帯域共有方法を実現するのに利用され、プログラムコードはプロセッサ300によって実行される。
【００７６】
プロセッサ300は、共有される周波数帯域を決定し、ここで、共有される周波数帯域は第1のネットワーク又は第2のネットワークに利用可能な周波数帯域であり、共有される周波数帯域のセルは、第1のネットワークを用いることによって通信を実行するユーザ装置UE1のセカンダリサービングセル及び第2のネットワークを用いることによって通信を実行するユーザ装置UE2のセカンダリサービングセルであり、UE1とUE2との双方は、共有される周波数帯域及び共有される周波数帯域以外の少なくとも1つの周波数帯域上で動作可能であり、第1のネットワークと第2のネットワークとの双方において送信対象のサービスが存在する場合、第1のネットワークのサービス送信又は第2のネットワークのサービス送信が共有される周波数帯域上で実行されると判定し、第1のネットワークのサービス送信が共有される周波数帯域上で実行されるとき、共有される周波数帯域上で第2のネットワークの共通信号のみを送信するか、あるいは、第2のネットワークのサービス送信が共有される周波数帯域上で実行されるとき、共有される周波数帯域上で第1のネットワークの共通信号のみを送信するか、又は信号を送信しないよう構成される。
【００７７】
本発明は更に、上記の実施例において説明された周波数帯域共有装置を主として含む周波数帯域共有システムを提供する。詳細については、上記の実施例を参照されたく、詳細はここでは再説明されない。
【００７８】
本質的に本発明の技術的解決策、又は先行技術に寄与する部分又は技術的解決策の全て若しくは一部は、ソフトウェア製品の形態で実現されてもよい。ソフトウェア製品は、記憶媒体に記憶され、コンピュータ装置（パーソナルコンピュータ、サーバ又はネットワーク装置であってもよい）に本発明の実施例において説明された方法のステップの全て又は一部を実行するよう指示するためのいくつかの命令を含む。上記の記憶媒体は、USBフラッシュドライブ、リムーバブルハードディスク、読み出し専用メモリ（ROM,  Read-Only  Memory）、ランダムアクセスメモリ（RAM,  Random  Access  Memory）、磁気ディスク又は光ディスクなど、プログラムコードを記憶しうる何れかの媒体を含む。
【００７９】
本発明において提供される周波数帯域共有方法、装置及びシステムが、上記において詳細に説明された。本明細書では、特定の具体例が本発明の原理及び実現形態を説明するのに利用され、上記の実施例の説明は、本発明の方法及び中核となるアイデアを理解するのを助けることのみを意図とする。さらに、当業者は、本発明の実施例のアイデアに基づき、特定の実現形態及び適用範囲に関して修正を行ってもよい。従って、本明細書の内容は、本発明に対する限定として解釈されるものでない。
【図１】
0006526823.tif 000002
【図２】
0006526823.tif 000003
【図３】
0006526823.tif 000004
【図４】
0006526823.tif 000005